(57)【特許請求の範囲】
【請求項１】
伸縮手段を有する横梁部と、
前記横梁部の一の端部において前記横梁部から側方へ延出しており、対向する２つの側壁のうち一方の側壁に当接される第１の上部側壁当接部を有する第１の天井コーナー固定部と、
前記横梁部の他の端部において前記横梁部から側方へ延出しており、対向する前記側壁のうち他方の側壁に当接される第２の上部側壁当接部を有する第２の天井コーナー固定部と、
前記横梁部から下方へ延びており、床面へ立設される支柱部と、
を備えており、そして
前記第１の天井コーナー固定部は、前記横梁部と平行な面において、前記一方の側壁から延びている天井に当接される第１の天井当接部を有しており、および／または前記第２の天井コーナー固定部は、前記横梁部と平行な面において、前記他方の側壁から延びている天井に当接される第２の天井当接部を有しており、
前記第１の天井当接部は前記横梁部の一の端部において前記横梁部から側方へ延出しており、前記第２の天井当接部は前記横梁部の他の端部において前記横梁部から側方へ延出していることを特徴とする手摺り装置。
【請求項２】
前記第１の天井コーナー固定部および／または前記第２の天井コーナー固定部は、棒状であることを特徴とする請求項１に記載の手摺り装置。
【請求項３】
前記第１の天井コーナー固定部の断面形状および／または前記第２の天井コーナー固定部の断面形状は、Ｌ字型、ロの字型又は略円形であることを特徴とする請求項２に記載の手摺り装置。
【請求項４】
前記第１の上部側壁当接部の当接面と前記第１の天井当接部の当接面は互いに略直交しており、および／または前記第２の上部側壁当接部の当接面と前記第２の天井当接部の当接面は互いに略直交していることを特徴とする請求項１又は２に記載の手摺り装置。
【請求項５】
前記第１の上部側壁当接部の当接面と前記第１の天井当接部の当接面は互いに連続して形成されており、および／または前記第２の上部側壁当接部の当接面と前記第２の天井当接部の当接面は互いに連続して形成されていることを特徴とする請求項４に記載の手摺り装置。
【請求項６】
前記横梁部は、棒状であることを特徴とする請求項１ないし５のいずれか１項に記載の手摺り装置。
【請求項７】
前記支柱部から側方へ延びており、前記支柱部に取り付けられる手摺り部を備えていることを特徴とする請求項１ないし６のいずれか１項に記載の手摺り装置。
【請求項８】
前記手摺り部は、前記支柱部に対して高さ調節可能に取り付けられていることを特徴とする請求項７に記載の手摺り装置。
【請求項９】
前記手摺り部は、前記支柱部に対して略水平方向に回動及び固定可能に取り付けられていることを特徴とする請求項７又は８に記載の手摺り装置。
【請求項１０】
前記支柱部は、伸縮手段を有していることを特徴とする請求項１ないし９のいずれか１項に記載の手摺り装置。
【請求項１１】
前記支柱部は、床面に設置される基部を介して床面へ立設されることを特徴とする請求項１ないし１０のいずれか１項に記載の手摺り装置。
【請求項１２】
前記基部は、
床面に設置される基部プレートと、
前記床面から延びており、対向する２つの側壁のうち一方の側壁に当接される第１の下部側壁当接部を有する第１の床面コーナー固定部と、
対向する前記側壁のうち他方の側壁に当接される第２の下部側壁当接部を有する第２の床面コーナー固定部とを備えており、
前記第１の床面コーナー固定部および／または前記第２の床面コーナー固定部は、前記第１の床面コーナー固定部と前記第２の床面コーナー固定部との間の距離を調節可能に前記基部プレートへ取り付けられていることを特徴とする請求項１１に記載の手摺り装置。
【請求項１３】
前記支柱部を複数本備えていることを特徴とする請求項１ないし１２のいずれか１項に記載の手摺り装置。
【請求項１４】
前記支柱部は、その上端に、天井に当接される補助当接部を備えていることを特徴とする請求項１ないし１３のいずれか１項に記載の手摺り装置。
【発明の詳細な説明】
【技術分野】
【０００１】
本発明は、高齢者や要介護者などが、トイレや玄関、浴槽などの空間において、立ち上がり姿勢や座位姿勢をとるのを容易にするために、立ち上がり姿勢や座位姿勢をとる際に使用される手摺り装置に関する。
【背景技術】
【０００２】
高齢者や要介護者らが、トイレや玄関、浴槽などの空間において、立ち上がり姿勢や座位姿勢をとるのを容易にするための補助具として、室内に設置する支柱や手摺り装置が広く知られている。また、これらの手摺り装置は、高齢者や要介護者らがトイレや玄関、浴槽などへアクセスする時または手摺り装置を使用しない時などに邪魔となるので、特に支柱へ取り付けた手摺りが水平方向または鉛直方向に回動することにより、退避できる機能を有していることが望まれている。
【０００３】
例えば、特開２００８−６３７６０号公報（特許文献１）、実用新案登録第３１３７４９４号公報（特許文献２）には、床面に設置されるベース部から支柱部を立設し、支柱部の上端には天井に当接される当接部を形成し、さらに支柱部の中間部には支柱部から水平方向に延びた手摺りが取り付けられた手摺り装置が開示されている。
【０００４】
また、特許文献１に記載された手摺り装置の手摺りは支柱部へ回動不能に固定されたものであり、特許文献２に記載された手摺り装置の手摺りは、支柱部へ回動可能に取り付けられたものではあるが、いずれの手摺りも支柱に対して片持ちに支持されている。このため、高齢者や要介護者らが手摺りを掴んだり、或いは抱え込んだりして立ち上がり姿勢や座位姿勢をとる際は、手摺りを支える支柱へ、支柱を倒すように曲げモーメントが働くのみならず、支柱を回転するように大きな捻りモーメントが働くことになる。
【０００５】
ところが、特許文献１，２に記載されているようなタイプの手摺り装置は、天井や床面を傷付けることなく室内に支柱を架設できるように、支柱の上端には天井と当接する当接部を設け、支柱の下端には床面と当接するベース部を設け、そして支柱を天井と床面の間で突っ張らせることにより固定するものである。このため、特許文献１，２に記載の手摺り装置は、支柱へ作用する曲げモーメントに対しては、当接部と天井との間に生じる摩擦力及びベース部と床面との間に生じる摩擦力によってある程度抗することができるが、支柱へ作用する捻りモーメントに対しては十分に抗することができず、支柱及び手摺りが回転してしまうという問題があった。また、手摺り装置をより一層強力に固定しようとすると、押圧された天井が変形してしまうという問題もあった。
【０００６】
すなわち、支柱から側方に延びている当接部とベース部はそれぞれ支柱に対して直交するように固定されているので、鉛直方向に回転すると摩擦力が働いて、支柱の転倒が強力に防止される。
【０００７】
ところが、支柱を捻る（支柱を水平方向に回転させる）方向に力が働く時は、支柱が倒れるように傾くことがなく、当接部と天井との間及びベース部と床面との間に生じる前記摩擦力にも変化が生じないので、支柱を捻る力が前記摩擦力を上回れば、簡単に支柱や支柱に取り付けられた手摺りが回転してしまうことになる。このため、支柱へ捻る力を加える高齢者や要介護者らの動きに対して、手摺り装置は、それらの動きを十分に支持ないし補助することができないという問題があった。
【先行技術文献】
【特許文献】
【０００８】
【特許文献１】特開２００８−６３７６０号公報
【特許文献２】実用新案登録第３１３７４９４号公報
【発明の概要】
【発明が解決しようとする課題】
【０００９】
そこで、本発明は、高齢者や要介護者などが、トイレや玄関、浴槽などの空間において、立ち上がり姿勢や座位姿勢をとるのを容易にするため、立ち上がり姿勢や座位姿勢をとる際に支柱や手摺りを介して支柱へモーメントを加えられても、支柱の固定がズレたり、支柱の固定が外れたりすることがなく、特に支柱や手摺りが回転したり、或いは支柱の回転により固定が外れたりすることがなく、さらに天井を変形させることなく強固に支柱を架設することができる手摺り装置を提供することを目的とする。
【課題を解決するための手段】
【００１０】
トイレや玄関、浴槽などの空間において、天井や側壁の強度を調べると、一般に側壁と天井とが交差するコーナー部が、側壁を支える支柱や筋交い、天井を支える横梁などの強度部材が最も集中することから強度が高いことが判った。そこで、本発明者らは、前記調査結果を基礎としてトイレや玄関、浴槽などの空間における支柱の固定方法について鋭意研究を重ねた結果、床面へ立設される支柱の上端付近に横梁を連結し、そして該横梁の両端部には、側壁に沿って略水平に側方に延びており且つ対向する側壁のコーナー部近傍を突っ張ることができる側壁当接部を設けることが、前記支柱の据付強度を向上させるのに最も効果的であることを見出し、本発明を完成するに至った。
【００１１】
すなわち、本発明によれば、伸縮手段を有する横梁部と、前記横梁部の一の端部において前記横梁部から側方へ延出しており、対向する２つの側壁のうち一方の側壁に当接される第１の上部側壁当接部を有する第１の天井コーナー固定部と、前記横梁部の他の端部において前記横梁部から側方へ延出しており、対向する前記側壁のうち他方の側壁に当接される第２の上部側壁当接部を有する第２の天井コーナー固定部と、そして前記横梁部から下方へ延びており、床面へ立設される支柱部と、を備えている手摺り装置が提供される。
【００１２】
床面に立設される支柱部は床面から略天井付近まで延びる棒形状を成しており、支柱部の長さ（高さ）を可変とするため、或いは床面と天井との間で突っ張ることができるように、支柱部は伸縮手段を備えていることが好ましい。また、支柱部が傾いた時でも、支柱部による突っ張り状態を維持することができるように、支柱部又は伸縮手段にはバネなどの付勢手段が補助的に取り付けられていてもよい。このように支柱部が棒形状であると、使用者は、立ち上がり姿勢や座位姿勢をとる際に支柱部をどの方向からも容易に掴むことができるので便利である。また、支柱部が棒形状であると、トイレや玄関、浴槽などの空間において支柱部による圧迫感を低減することができる。
【００１３】
また、支柱部の伸縮手段は特に限定されるものではなく、公知の技術を採用することができる。例えば支柱部を外筒と、該外筒の中にスライド可能に挿入される内筒とへ分割し、外筒の外周部には、回動することにより外筒の挿入口を縮径又は拡径させることができる回動部を設けることによって伸縮手段を構成することができる。この構成の場合、外筒から内筒を引き出すことにより、支柱部をある目的とする長さへ、或いは支柱部の上端又は上部取付け部品を天井へ当接させるために適した長さへ調節した後、外筒の挿入口を縮径させる方向へ回動部を回転することにより、外筒に対して内筒を固定することができる。
【００１４】
また、支柱部の伸縮手段は、例えば支柱部を下部支柱部と上部支柱部とへ分割し、下部支柱部の上端部領域と上部支柱部の下端部領域にはそれぞれ反対向きの雄ネジ溝を形成し、さらに前記両端部領域の雄ネジ溝とそれぞれに螺合する雌ネジ溝を有する筒状の回動部を外装することによっても構成することができる。この構成の場合、下部支柱部及び上部支柱部の雄ネジ溝と螺合した回動部を一方向へ回転させることにより、下部支柱部と上部支柱部を離間させたり又は接近させたりすることにより、支柱部をある目的とする長さへ、又は支柱部の上端又は上部取付け部品を天井へ当接させるために適した長さへ調節し、そのまま固定することができる。
【００１５】
支柱部は、支柱部から側方へ延びており、支柱部へ取り付けられる手摺り部を備えていることが好ましい。手摺り部の形状は特に限定されないが、使用者が手摺り部を容易に握ることができるように棒形状を成していることが好ましく、または使用者が手摺り部を簡単に抱かかえることができるように幅狭のテーブル形状を成していてもよい。また幅狭のテーブルは、棒形状の手摺り部へ着脱自在に取り付けられていてもよい。手摺り部が支柱部から略水平方向に側方へ延びていると、使用者は手摺り部を引き寄せる又は抱き寄せるようにして、容易に立ち上がり姿勢や座位姿勢をとることができるようになる。
【００１６】
また、手摺り部は、支柱部に対して略水平方向に回動及び固定可能、或いは支柱部に対して略鉛直方向に回転（跳ね上げ）及び固定可能に取り付けられていることが好ましく、さらに支柱部に対して高さ調節可能に取り付けられていることがより好ましい。手摺り部の回動及び固定手段及び高さ調節手段は特に限定されるものではなく、公知の技術を採用することができる。例えば手摺り部の回動及び固定手段は、外周面の周方向に複数の係止孔を設けた支柱部へ、手摺り部を取り付けた筒状のスリーブを回動自在に装着し、スリーブに設けたピン孔と支柱部の係止孔とが一致した回動位置において、外部より係止ピンを抜き差しできるようにすることにより構成することができる。手摺り部が支柱部へ跳ね上げ又は回動自在に取り付けられていると、高齢者や要介護者らがトイレや玄関、浴槽などへアクセスする時または手摺り装置を使用しない時などに手摺り部を退避させることができるので、邪魔となることがない。
【００１７】
また、手摺り部の高さ調節手段は、例えば外周面の長手方向に複数の係止孔を設けた支柱部へ、手摺り部を取り付けた筒状のスリーブをスライド自在に装着し、スリーブに設けたピン孔と支柱部の係止孔とが一致したスライド位置において、外部より係止ピンを抜き差しできるようにすることにより構成することができる。手摺り部が支柱部へ高さ調節自在に取り付けられていると、使用者の体格に合わせて手摺り部の高さを調節できるので、手摺り部の取り扱いがより一層容易になり、手摺り部を使用する利用者の安全性もより一層向上する。
【００１８】
支柱部は、床面に設置される基部を介して床面へ立設されていることが好ましい。上述したように、本発明では支柱部が棒形状であることが好ましいので、床面と当接する支柱部の下端部には、支柱部の断面よりも大きな面積を有する板状の基部、または支柱部の根元から放射状に延びた脚状の基部を設けると、床面を傷付けることなく安定して支柱部を立設することができる。また、支柱部は、鉛直方向に基部へ固定されていることが好ましく、溶接などにより直接的に基部へ固定されていても、若しくはジョイントなどを介して間接的に基部へ固定されてもよい。
【００１９】
基部は、床面に設置される基部プレートと、床面から延びており、対向する２つの側壁のうち一方の側壁に当接される第１の下部側壁当接部を有する第１の床面コーナー固定部と、対向する側壁のうち他方の側壁に当接される第２の下部側壁当接部を有する第２の床面コーナー固定部とを備えており、第１の床面コーナー固定部および／または第２の床面コーナー固定部は、第１の床面コーナー固定部と第２の床面コーナー固定部との間の距離を調節可能に基部プレートへ取り付けられていることが好ましい。
【００２０】
トイレや玄関、浴槽などの床面は段差を極力減らすことが重要となるので、基部プレートおよび基部プレートへ取り付けられる第１の床面コーナー固定部、第２の床面コーナー固定部は板状であることが好ましく、剛性のある鋼板、内部にハニカム構造を有する軽量パネル、プレスなどにより筋状の凹凸を設けたリブ付きパネルなどを使用することができる。また、基部プレート、床面コーナー固定部の裏面には、床面との摩擦力を増大させるために樹脂性のラバーなどを配設してもよく、また基部プレート、床面コーナー固定部の表面には、肌触りや見栄えを良くするために樹脂性のラバーやカーペット生地を配設してもよい。
【００２１】
第１の床面コーナー固定部および／または第２の床面コーナー固定部は、例えば基部プレートへスライド及び固定可能に取り付けることにより、第１の床面コーナー固定部と第２の床面コーナー固定部との間の距離を調節することができるようになる。例えば基部プレート又は床面コーナー固定部のいずれか一方にはスリットを設け、他方の床面コーナー固定部又は基部プレートにはネジ孔を設け、そしてそれらを重ね合わせて、ネジを、一方の部材のスリットを通して他方の部材のネジ孔に螺合させることにより、床面コーナー固定部を基部プレートへスライド及び固定可能に取り付けることができる。
【００２２】
また、第１の床面コーナー固定部と第２の床面コーナー固定部との間の距離の調節手段は上記の構成に限定されるものではなく、例えば床面コーナー固定部の下部側壁当接部にボルト軸を固定し、該ボルト軸と螺合し且つ基部プレートへ回動自在に取り付けたナットを回動することにより、下部側壁当接部を螺進退させることができるようにする等の公知の技術を採用することができる。
【００２３】
ただし、第１の床面コーナー固定部の第１の下部側壁当接部および第２の床面コーナー固定部の第２の下部側壁当接部は、いずれも側壁に沿って略水平に横方向へ延びている板形状又は棒形状を有していることが好ましい。第１の下部側壁当接部および第２の下部側壁当接部が側壁に沿って横方向に延びていると、第１の下部側壁当接部を、対向する２つの側壁のうち一方の側壁に当接させ、第２の下部側壁当接部を、対向する側壁のうち他方の側壁に当接させ、そして第１の床面コーナー固定部及び／又は第２の床面コーナー固定部を基部プレートへ固定すると、基部プレートは対向する側壁に対して物理的に回転することができなくなる。このため、基部プレートへ固着するように立設された支柱部および該支柱部に取り付けられた手摺り部は、基部を介してその回転や捻りが強力に防止されることになる。
【００２４】
次に、支柱部の上端付近に取り付けられる横梁部、該横梁部の端部に取り付けられる第１の天井コーナー固定部および第２の天井コーナー固定部について詳しく説明する。
【００２５】
支柱部の上端付近には、横梁部が支柱部を中心として回転しないように取り付けられる。また、横梁部の長さを可変とするため、或いは対向する側壁の間で、後述する第１の天井コーナー固定部と第２の天井コーナー固定部を介して突っ張ることができるように、横梁部は伸縮手段を備えている。さらに、第１の天井コーナー固定部又は第２の天井コーナー固定部が、当接する側壁から動いてしまった時でも、横梁部による突っ張り状態を維持することができるように、横梁部又は伸縮手段にはバネなどの付勢手段が補助的に組み込まれていてもよい。なお、支柱部は、横梁部に対して回転しないように横梁部へ固定されていれば、横梁部に対する取付け位置を変えられるように接合されていてもよい。
【００２６】
横梁部の伸縮手段は特に限定されるものではなく、公知の技術を採用することができる。支柱部の伸縮手段と同様に、例えば横梁部を棒状の外筒と、該外筒の中にスライド可能に挿入される棒状の内筒とへ分割し、外筒の外周部には、回動することにより外筒の挿入口を縮径又は拡径させることができる回動部を設けることによって伸縮手段を構成することができる。この構成の場合、外筒から内筒を引き出すことにより、横梁部の端部に取り付けられた第１の天井コーナー固定部と第２の天井コーナー固定部を側壁へ当接させるために適した長さへ調節した後、外筒の挿入口を縮径させる方向へ回動部を回転することにより、外筒に対して内筒を固定することができる。
【００２７】
また、横梁部の伸縮手段は、例えば横梁部を第１の横梁部と第２の横梁部とへ分割し、第１の横梁部の第２の横梁側端部領域と、第２の横梁部の第１の横梁側端部領域にはそれぞれ反対向きの雄ネジ溝を形成し、さらに前記両端部領域の雄ネジ溝とそれぞれに螺合する雌ネジ溝を有する筒状の回動部を外装することによっても構成することができる。この構成の場合、第１の横梁部及び第２の横梁部の雄ネジ溝と螺合した回動部を一方向へ回転させることにより、第１の横梁部と第２の横梁部を離間させたり又は接近させたりすることにより、横梁部の端部に取り付けられた第１の天井コーナー固定部と第２の天井コーナー固定部を側壁へ当接させるために適した長さへ調節し、そのまま固定することができる。
【００２８】
また、横梁部が、Ｔ字型の筒状のジョイントなどを介して、横梁部が支柱部を中心として回転しないが、横梁部の軸方向へスライド可能に間接的に取り付けられている場合、横梁部はＴ字型の筒状のジョイントを通過して全体の長さを変化させることができるので、伸縮手段が横梁部に１箇所設けられていれば、横梁部は、対向する側壁の間で、第１の天井コーナー固定部と第２の天井コーナー固定部を介して突っ張るように長さ調節をすることができる。
【００２９】
一方、横梁部が、溶接などにより、横梁部が支柱部を中心として回転せず、且つ横梁部の軸方向へもスライドしないように直接的に取り付けられている場合、横梁部は、支柱部から第１又は第２の天井コーナー固定部までの長さはそれぞれ個別に調節できるのみであるので、伸縮手段は、支柱部との接続部位を挟んで横梁部に２箇所以上設けなければ、横梁部は、支柱部を平面上の任意の位置に立脚させながら、対向する側壁の間で第１の天井コーナー固定部と第２の天井コーナー固定部を介して突っ張るように長さ調節をすることができなくなる。
【００３０】
平面視において、横梁部に対して連結角度を変えられないように横梁部へ固定されている第１の天井コーナー固定部は、横梁部の一の端部において横梁部から側方へ延出しており、対向する２つの側壁のうち一方の側壁に当接される第１の上部側壁当接部を有していることが好ましい。また、第１の天井コーナー固定部と同様に、平面視において、横梁部に対して連結角度を変えられないように横梁部へ固定されている第２の天井コーナー固定部も、横梁部の他の端部において横梁部から側方へ延出しており、対向する２つの側壁のうち他方の側壁に当接される第２の上部側壁当接部を有していることが好ましい。なお、第１及び第２の天井コーナー固定部は、横梁部に対して連結角度を変えられないように横梁部へ固定されていれば、横梁部に対する取付け位置を変えられるように接合されていてもよい。
【００３１】
第１の上部側壁当接部および第２の上部側壁当接部が側壁に沿って横方向に延びていると、第１の上部側壁当接部を、対向する２つの側壁のうち一方の側壁に当接させ、第２の上部側壁当接部を、対向する側壁のうち他方の側壁に当接させ、そして第１の天井コーナー固定部及び／又は第２の天井コーナー固定部を横梁部へ固定すると、横梁部は対向する側壁に対して物理的に回転することができなくなる。
【００３２】
すなわち、横梁部から側壁に沿って側方に延びている第１及び第２の上部側壁当接部は、それぞれ横梁部に対して水平方向に角度不変に固定されるので、水平方向への回転が規制されて、特に横梁部の水平方向への回転が強力に防止される。
【００３３】
その結果、横梁部へ回転不能に接合された支柱部および該支柱部に取り付けられた手摺り部は、横梁部および該横梁部へ接合された第１及び第２の上部側壁当接部を介してその回転や捻りが強力に防止されることになる。また、第１及び第２の上部側壁当接部は、側壁を支える支柱や筋交い、天井を支える横梁などの強度部材が集中することにより比較的強度が高いコーナー部へ当接されるので、側壁中央付近や天井中央部付近を利用して支柱を固定する従来の手摺り装置よりも据付強度が高く、また側壁や天井を変形させることがないという優れた効果を奏する。特に第１の上部側壁当接部、第２の上部側壁は、それらの前記延出長さが長ければ長いほど、横梁部及び支柱部の水平方向への回転をより一層強力に防止することができる。
【００３４】
また、第１の天井コーナー固定部は、一方の側壁から延びている天井に当接される第１の天井当接部を有していることが好ましく、また第２の天井コーナー固定部も、他方の側壁から延びている天井に当接される第２の天井当接部を有していることが好ましい。第１の天井コーナー固定部および／または第２の天井コーナー固定部が第１の天井当接部、第２の天井当接部を有していると、横梁部へ接合された支柱部は、横梁部および該横梁部へ接合された第１及び第２の天井当接部を介して、床面及び天井との間で強力に突っ張ることができるようになる。
【００３５】
すなわち、第１及び第２の天井当接部は、それぞれに横梁部から天井に沿って側方に延びており、横梁部に対して鉛直方向に角度不変に固定されるので、鉛直方向に回転すると摩擦力が働いて、支柱部の鉛直方向への回転が強力に防止される。
【００３６】
また、上記の効果は、支柱部の上端に天井に当接される補助当接部を取り付けることによっても得ることができる。この場合、補助当接部は横梁部との接合部から天井に沿って側方に延びていることが好ましく、第１の天井当接部および／または第２の天井当接部と併用しても、或いは併用しなくても構わない。
【００３７】
補助当接部は、横梁部と接合されている支柱部に対して鉛直方向に角度不変に固定されるので、天井当接部を天井コーナー固定部に設けた場合と同様に、鉛直方向に回転すると摩擦力が働いて、支柱部の鉛直方向への回転が強力に防止される。
【００３８】
その結果、横梁部へ回転不能に接合された支柱部および該支柱部に取り付けられた手摺り部は、横梁部および該横梁部へ接合された第１及び第２の天井当接部を介してその転倒が強力に防止されることになる。また、第１及び第２の天井当接部は、側壁を支える支柱や筋交い、天井を支える横梁などの強度部材が集中することにより比較的強度が高いコーナー部へ当接されるので、側壁中央付近や天井中央部付近を利用して支柱を固定する従来の手摺り装置よりも据付強度が高く、また側壁や天井を変形させることがないという優れた効果を奏する。
【００３９】
特に、第１の天井当接部が横梁部の一の端部において横梁部から側方へ延出しており、第２の天井当接部が横梁部の他の端部において横梁部から側方へ延出している場合は、第１の天井当接部、第２の天井当接部は、それらの前記延出長さが長ければ長いほど、横梁部及び支柱部の鉛直方向への回転防止効果がより一層強化される。
【００４０】
第１及び第２の上部側壁当接部、第１及び第２の天井当接部は、横梁部との接合部から側方に延びていれば、板状、角柱状又は円柱状などの部材を使用することができ、第１の天井コーナー固定部および／または第２の天井コーナー固定部の全体形状としては、棒状であることが好ましい。このため、第１の天井コーナー固定部の断面形状および／または第２の天井コーナー固定部の断面形状は、Ｌ字型、ロの字型又は略円形などであることが好ましい。
【００４１】
天井コーナー固定部が上述したような形状、断面形状を有していると、簡単かつ比較的軽量な構造であるにもかかわらず、側壁と天井とのコーナー部を確実かつ強力に押圧することが可能となり、またコーナー部における見栄えもスッキリしてよくなる。特に天井コーナー固定部の断面形状がＬ字型、ロの字型又は略円形を有していると、第１の上部側壁当接部の当接面と第１の天井当接部の当接面、および／または第２の上部側壁当接部の当接面と第２の天井当接部の当接面は、互いに略直交する当接面を含むことになる。
【００４２】
このため、天井コーナー固定部を、１つの部材において側壁と天井とへ同時に当接させることができるので、強度的にも重量的にも極めて有利となる。また、天井コーナー固定部の断面形状が略円形を有している場合、或いは断面形状がＬ字型又はロの字型であっても、その表面にスペーサーを備えている場合は、側壁と天井とのコーナー部に回り縁が設置されていても、側壁と天井とへ同時に容易に当接させることができる。
【００４３】
さらに、第１の天井コーナー固定部および／または第２の天井コーナー固定部が棒状であるような場合、または該天井コーナー固定部の断面形状がＬ字型、ロの字型又は略円形などであるような場合であって、第１の上部側壁当接部の当接面と第１の天井当接部の当接面は互いに連続して形成されているような場合、および／または第２の上部側壁当接部の当接面と第２の天井当接部の当接面は互いに連続して形成されているような場合は、部材の強度がより一層向上し、一般に側壁と天井とのコーナー部をより確実に且つより強力に押圧することが可能となる。
【００４４】
なお、上述した第１及び第２の上部側壁当接部、第１及び第２の天井当接部は、その全部の面が一様に側壁、天井と接する必要はなく、横梁部との接合部から側方へ離れた位置において側壁、天井と接触可能であれば、点接触近似の接触形態であってもよい。側壁、天井へ接触する部分が横梁部との接合部から側方へ離れていれば、第１及び第２の上部側壁当接部、第１及び第２の天井当接部が横梁部との接合部から延びた方向への回転を効果的に防止できるからである。
【００４５】
また、第１及び第２の天井コーナー固定部と同様に、横梁部も棒状であることが好ましい。横梁部も棒状であると、簡単かつ比較的軽量な構造であるにもかかわらず、強い強度を得ることができるばかりでなく、天井に設置されている照明器具や感知器などを簡単に避けて配置することができるようになるので、手摺り装置の取り付けの自由度が高まり、また取り付け自体も容易になる。
【００４６】
また、本発明の手摺り装置では、上述した支柱部及び該支柱部に取り付けた手摺り部を複数個設けてもよい。この場合、２つ目の支柱部を、１つ目の支柱部が取り付けられている横梁部や基部とは別の横梁部や基部へ取り付けてもよいし、１つ目の支柱部が取り付けられている横梁部や基部へ取り付けてもよい。後者のように、支柱部を接続する横梁部や基部を共通化すると、手摺り装置全体の一体化により、構造体として、手摺り装置全体の剛性及び強度がより一層向上する。また、支柱部及び該支柱部に取り付けた手摺り部を複数個設けることにより、支柱部を１つ設けた場合に比べて、必要とされる手摺り部の腕の長さを１／２以下にできるので、支柱部に加わる曲げモーメントを大幅に低減することができ、支柱部や手摺り部の回転や捻りを効果的に防止することができる。
【発明の効果】
【００４７】
本発明の手摺り装置によれば、高齢者や要介護者などが、トイレや玄関、浴槽などの空間において、立ち上がり姿勢や座位姿勢をとるのを容易にするため、立ち上がり姿勢や座位姿勢をとる際に支柱や手摺りを介して支柱へモーメントを加えられても、支柱の固定がズレたり、支柱の固定が外れたりすることがなく、特に支柱や手摺りが回転したり、或いは支柱の回転により固定が外れたりすることがなく、さらに天井を変形させることなく強固に支柱を架設することができる。
【００４８】
また、本発明の手摺り装置は躯体構造がシンプルで、部材の形状も棒状などの省スペース部材を選ぶことができるので、手摺り装置の設置場所は、トイレや浴槽など閉空間などに限定されるものではなく、玄関や廊下など、床面と天井と、該天井から下方へ延びた２以上の側壁を有すれば、開いた空間であっても設置することができる。
【図面の簡単な説明】
【００４９】
【図１】トイレのような空間に設置された状態を示す、本発明の第１の実施形態に係る手摺り装置の斜視図である。
【図２】トイレのような空間に設置された状態を示す、本発明の第２の実施形態に係る手摺り装置の斜視図である。
【図３】トイレのような空間に設置された状態を示す、本発明の第３の実施形態に係る手摺り装置の斜視図である。
【図４】トイレのような空間に設置された状態を示す、本発明の第４の実施形態に係る手摺り装置の斜視図である。
【図５】トイレのような空間に設置された状態を示す、本発明の第５の実施形態に係る手摺り装置の斜視図である。
【図６】天井コーナー固定部の取付け配置例を示した模式図である。
【図７】天井コーナー固定部の断面形状例を示した模式図である。
【発明を実施するための形態】
【００５０】
以下、本発明の一実施形態に係る手摺り装置について、図面を参照しながら詳細に説明する。なお、本発明は、以下に示される実施形態に限定されるものではなく、本発明の技術的思想を逸脱しない範囲内で各種の変更が可能である。
【００５１】
［第１の実施形態］
図１には、トイレのような空間に設置された本発明の第１の実施形態に係る手摺り装置１の斜視図が示されている。
【００５２】
本実施形態の手摺り装置１は、伸縮手段２０を有する横梁部２と、横梁部２の一の端部において横梁部２から側方へ延出しており、対向する２つの側壁のうち一方の側壁に当接される第１の上部側壁当接部３０Ｌを有する第１の天井コーナー固定部３Ｌと、横梁部２の他の端部において横梁部２から側方へ延出しており、対向する側壁のうち他方の側壁に当接される第２の上部側壁当接部３０Ｒを有する第２の天井コーナー固定部３Ｒと、そして横梁部２から下方へ延びており、基部５を介して床面へ立設される支柱部４を備えている。
【００５３】
本実施形態において、支柱部４は伸縮手段４０を有しており、さらに支柱部４から側方へ延びており、支柱部４に対して水平方向に回動及び固定可能であり且つ高さ調節可能に取り付けられている手摺り部４１を含んでいる。
【００５４】
本実施形態において、基部５は、床面に設置される基部プレート５０と、床面から延びており、対向する２つの側壁のうち一方の側壁に当接される第１の下部側壁当接部５１Ｌを有する第１の床面コーナー固定部５２Ｌと、対向する側壁のうち他方の側壁に当接される第２の下部側壁当接部５１Ｒを有する第２の床面コーナー固定部５２Ｒとを備えており、第１の床面コーナー固定部５２Ｌおよび第２の床面コーナー固定部５２Ｒは、第１の床面コーナー固定部５２Ｌと第２の床面コーナー固定部５２Ｒとの間の距離を調節可能に基部プレート５０へ取り付けられている。
【００５５】
次に、本実施形態の手摺り装置１の各構成部品について、以下に詳しく説明をする。床面に立設される支柱部４は床面から略天井付近まで延びる棒形状を成しており、支柱部４の長さ（高さ）を可変とするため、或いは床面と天井との間で突っ張ることができるように、支柱部４は伸縮手段４０を備えている。また、支柱部４が傾いた時でも、支柱部４による突っ張り状態を維持することができるように、支柱部４又は伸縮手段４０にはバネなどの付勢手段（図示せず）が補助的に取り付けられていてもよい。このように支柱部４が棒形状であると、使用者は、立ち上がり姿勢や座位姿勢をとる際に支柱部４をどの方向からも容易に掴むことができるので便利である。また、支柱部４が棒形状であると、トイレや玄関、浴槽などの空間において支柱部４による圧迫感を低減することができる。
【００５６】
また、支柱部４の伸縮手段４０は特に限定されるものではなく、公知の技術を採用することができる。本実施形態の手摺り装置１では、支柱部４の伸縮手段４０は、支柱部４を下部支柱部と上部支柱部とへ分割し、下部支柱部の上端部領域と上部支柱部の下端部領域にはそれぞれ反対向きの雄ネジ溝を形成し、さらに前記両端部領域の雄ネジ溝とそれぞれに螺合する雌ネジ溝を有する筒状の回動部を外装することによって構成されている。この構成の場合、下部支柱部及び上部支柱部の雄ネジ溝と螺合した回動部を一方向へ回転させることにより、下部支柱部と上部支柱部を離間させたり又は接近させたりすることにより、支柱部４をある目的とする長さへ、又は支柱部４の上端又は上部取付け部品を天井へ当接させるために適した長さへ調節し、そのまま固定することができる。
【００５７】
手摺り部４１の形状は特に限定されないが、本実施形態の手摺り装置１では、使用者が手摺り部４１を簡単に抱かかえることができるように、幅狭のテーブル４１０が備え付けられている。また、幅狭のテーブル４１０は棒形状の手摺り部材（図示せず）へ着脱自在に取り付けられており、さらに手摺り部材には、下向きの荷重に対向するため、支柱部４の下部外周に回動自在に装着された筒状のスリーブ４３へ連結された傾斜梁部４２が設けられている。本実施形態の手摺り装置１では、手摺り部４１が支柱部４から水平方向に側方へ延びているので、使用者は手摺り部４１を引き寄せる又は抱き寄せるようにして、容易に立ち上がり姿勢や座位姿勢をとることができるようになる。
【００５８】
手摺り部４１の回動及び固定手段及び高さ調節手段は特に限定されるものではなく、公知の技術を採用することができる。本実施形態の手摺り装置１では、手摺り部４１の回動及び固定手段は、外周面の周方向に複数の係止孔（図示せず）を設けた支柱部４へ、手摺り部４１を取り付けた筒状のスリーブ４４を回動自在に装着し、スリーブ４４に設けたピン孔（図示せず）と支柱部４の係止孔とが一致した回動位置において、外部より係止ピン（図示せず）を抜き差しできるようにすることにより構成されている。本実施形態の手摺り装置１では、手摺り部４１が回動自在に取り付けられているので、高齢者や要介護者らがトイレや玄関、浴槽などへアクセスする時または手摺り装置１を使用しない時などに手摺り部４１を退避させることができるので、邪魔となることがない。
【００５９】
また、手摺り部４１の高さ調節手段は、外周面の長手方向に複数の係止孔（図示せず）を設けた支柱部４へ、手摺り部４１を取り付けた筒状のスリーブ４３，４４をスライド自在に装着し、スリーブ４４に設けたピン孔（図示せず）と支柱部４の係止孔とが一致したスライド位置において、外部より係止ピン（図示せず）を抜き差しできるようにすることにより構成されている。本実施形態の手摺り装置１では、手摺り部４１が支柱部４へ高さ調節自在に取り付けられているので、使用者の体格に合わせて手摺り部４１の高さを調節することができ、手摺り部４１の取り扱いがより一層容易になり、手摺り部４１を使用する利用者の安全性もより一層向上する。
【００６０】
本実施形態の手摺り装置１では、床面と当接する支柱部４の下端部には、支柱部４の断面よりも大きな面積を有する板状の基部５が設けられているので、床面を傷付けることなく安定して支柱部４を立設することができる。また、支柱部４は、鉛直方向に溶接により直接的に基部５へ固定されていているので、特に支柱部４を転倒させる力に対して頑丈にできている。
【００６１】
基部５は、床面に設置される基部プレート５０と、床面から延びており、対向する２つの側壁のうち一方の側壁に当接される第１の下部側壁当接部５１Ｌを有する第１の床面コーナー固定部５２Ｌと、対向する側壁のうち他方の側壁に当接される第２の下部側壁当接部５１Ｒを有する第２の床面コーナー固定部５２Ｒとを備えており、第１の床面コーナー固定部５２Ｌおよび第２の床面コーナー固定部５２Ｒは、第１の床面コーナー固定部５２Ｌと第２の床面コーナー固定部５２Ｒとの間の距離を調節可能に基部プレート５０へ取り付けられている。
【００６２】
基部プレート５０および基部プレート５０へ取り付けられる第１の床面コーナー固定部５２Ｌ、第２の床面コーナー固定部５２Ｒは板状であり、素材として剛性のある鋼板が使用されている。また、基部プレート５０、床面コーナー固定部５２Ｌ，５２Ｒの裏面には、床面との摩擦力を増大させるために樹脂性のラバー（図示せず）が取り付けられており、また基部プレート５０、床面コーナー固定部５２Ｌ，５２Ｒの表面には、肌触りや見栄えを良くするために薄手のカーペット生地（図示せず）が取り付けられている。
【００６３】
本実施形態の手摺り装置１では、基部プレート５０にはスリット（図示せず）を設け、他方の床面コーナー固定部５２Ｌ，５２Ｒにはネジ孔（図示せず）を設け、そしてそれらを重ね合わせて、ネジ５００を、基部プレート５０のスリットを通して床面コーナー固定部５２Ｌ，５２Ｒのネジ孔に螺合させることにより、基部プレート５０を床面コーナー固定部５２Ｌ，５２Ｒへスライド及び固定可能に取り付けている。このため、本実施形態の手摺り装置１では、第１の床面コーナー固定部５２Ｌと第２の床面コーナー固定部５２Ｒとの間の距離を容易に調節することができる。
【００６４】
本実施形態の手摺り装置１では、第１の床面コーナー固定部５２Ｌの第１の下部側壁当接部５１Ｌおよび第２の床面コーナー固定部５２Ｒの第２の下部側壁当接部５１Ｒは、いずれも側壁に沿って水平に横方向へ延びている板形状であるので、第１の下部側壁当接部５１Ｌを、対向する２つの側壁のうち一方の側壁に当接させ、第２の下部側壁当接部５１Ｒを、対向する側壁のうち他方の側壁に当接させ、そして第１の床面コーナー固定部５２Ｌ及び第２の床面コーナー固定部５２Ｒを基部プレート５０へ固定すると、基部プレート５０は対向する側壁に対して物理的に回転することができなくなる。このため、基部プレート５０へ固着するように立設された支柱部４および該支柱部４に取り付けられた手摺り部４１は、基部５を介してその回転や捻りが強力に防止される。
【００６５】
次に、支柱部４の上端に取り付けられる横梁部２、該横梁部２の端部に取り付けられた第１の天井コーナー固定部３Ｌおよび第２の天井コーナー固定部３Ｒについて詳しく説明する。
【００６６】
本実施形態の手摺り装置１では、支柱部４の上端には、横梁部２が支柱部４を中心として回転しないように取り付けられている。また、横梁部２の長さを可変とするため、或いは対向する側壁の間で、第１の天井コーナー固定部３Ｌと第２の天井コーナー固定部３Ｒを介して突っ張ることができるように、横梁部２は伸縮手段２０を備えている。さらに、第１の天井コーナー固定部３Ｌ又は第２の天井コーナー固定部３Ｒが、当接する側壁から動いてしまった時でも、横梁部２による突っ張り状態を維持することができるように、横梁部２又は伸縮手段２０にはバネなどの付勢手段（図示せず）が補助的に組み込まれていてもよい。なお、図示しないが、支柱部４は、横梁部２に対して水平方向に回転しないように横梁部２へ固定されていれば、横梁部２に対する取付け位置を変えられるように接合されていてもよい。
【００６７】
横梁部２の伸縮手段２０は特に限定されるものではなく、公知の技術を採用することができる。本実施形態の手摺り装置１では、横梁部２の伸縮手段２０は、支柱部４の伸縮手段４０と同様に、横梁部２を第１の横梁部と第２の横梁部とへ分割し、第１の横梁部の第２の横梁側端部領域と、第２の横梁部の第１の横梁側端部領域にはそれぞれ反対向きの雄ネジ溝を形成し、さらに前記両端部領域の雄ネジ溝とそれぞれに螺合する雌ネジ溝を有する筒状の回動部を外装することによって構成されている。この構成の場合、第１の横梁部及び第２の横梁部の雄ネジ溝と螺合した回動部を一方向へ回転させることにより、第１の横梁部と第２の横梁部を離間させたり又は接近させたりすることにより、横梁部２の端部に取り付けた第１の天井コーナー固定部３Ｌと第２の天井コーナー固定部３Ｒを側壁へ当接させるために適した長さへ調節し、そのまま固定することができる。
【００６８】
本実施形態の手摺り装置１では、横梁部２が、Ｔ字型の筒状のジョイント２１を介して、横梁部２が支柱部４を中心として回転しないが、横梁部２の軸方向へスライド可能に間接的に取り付けられている。このため、横梁部２はＴ字型の筒状のジョイント２１を通過して全体の長さを変化させることができるので、図示されているように、伸縮手段２０が横梁部２に１箇所設けられていれば、横梁部２は、対向する側壁の間で、第１の天井コーナー固定部３Ｌと第２の天井コーナー固定部３Ｒを介して突っ張るように長さ調節をすることができる。
【００６９】
また、本実施形態の手摺り装置１では、横梁部２は棒状であるので、簡単かつ比較的軽量な構造であるにもかかわらず、強い強度を得ることができるばかりでなく、天井に設置されている照明器具や感知器などを簡単に避けて配置することができ、手摺り装置１の取り付けの自由度が高まり、また取り付け自体も容易になる。
【００７０】
なお、図示しないが、横梁部２が、溶接などにより、横梁部２が支柱部４を中心として回転せず、且つ横梁部２の軸方向へもスライドしないように直接的に取り付けられている場合、横梁部２は、支柱部４から第１又は第２の天井コーナー固定部３Ｌ，３Ｒまでの長さはそれぞれ個別に調節できるのみであるので、伸縮手段２０は、支柱部４との接続部位を挟んで横梁部２に２箇所以上設けなければ、横梁部２は、支柱部４を平面上の任意の位置に立脚させながら、対向する側壁の間で第１の天井コーナー固定部３Ｌと第２の天井コーナー固定部３Ｒを介して突っ張るように長さ調節をすることができなくなる。
【００７１】
平面視において、横梁部２に対して連結角度を変えられないように横梁部２へ固定されている第１の天井コーナー固定部３Ｌは、横梁部２の一の端部において横梁部２から側方へ延出しており、対向する２つの側壁のうち一方の側壁に当接される第１の上部側壁当接部３０Ｌを有している。また、第１の天井コーナー固定部３Ｌと同様に、平面視において、横梁部２に対して連結角度を変えられないように横梁部２へ固定されている第２の天井コーナー固定部３Ｒも、横梁部２の他の端部において横梁部２から側方へ延出しており、対向する２つの側壁のうち他方の側壁に当接される第２の上部側壁当接部３０Ｒを有している。なお、図示しないが、第１及び第２の天井コーナー固定部３Ｌ，３Ｒは、横梁部２に対して連結角度を変えられないように横梁部２へ固定されていれば、横梁部２に対する取付け位置を変えられるように接合されていてもよい。
【００７２】
本実施形態の手摺り装置１では、第１の上部側壁当接部３０Ｌおよび第２の上部側壁当接部３０Ｒが側壁に沿って横方向に延びているので、第１の上部側壁当接部３０Ｌを、対向する２つの側壁のうち一方の側壁に当接させ、第２の上部側壁当接部３０Ｒを、対向する側壁のうち他方の側壁に当接させ、そして第１の天井コーナー固定部３Ｌ及び第２の天井コーナー固定部３Ｒを横梁部２へ固定すると、横梁部２は対向する側壁に対して物理的に回転することができなくなる。
【００７３】
すなわち、横梁部２から側壁に沿って側方に延びている第１及び第２の上部側壁当接部３０Ｌ，３０Ｒは、それぞれ横梁部２に対して水平方向に角度不変に固定されているので、水平方向への回転が規制されて、特に横梁部２の水平方向への回転が強力に防止される。
【００７４】
図６には、平面視において、天井コーナー固定部３Ｌ、３Ｒの取付け配置の例が模式的に示されている。図６（ａ），（ｂ）を参照して理解されるように、第１及び第２の天井コーナー固定部３Ｌ、３Ｒは、対向する２つの側壁のそれぞれに対して対向するように当接させることができれば、図６（ａ）に示すように、室内の幅方向に対向するように配置することもできれば、図６（ｂ）に示すように、室内の長手方向に対向するように配置することもできる。
【００７５】
また、図６（ｃ）に示すように、第１及び第２の天井コーナー固定部３Ｌ’、３Ｒ’を、平面視において室内の対角線上で対向するように、隣り合う側壁同士のコーナー部を利用して配置することもできる。特に第１及び第２の天井コーナー固定部３Ｌ’、３Ｒ’を、隣り合う側壁同士のコーナー部を利用して配置した場合は、横梁部２の伸縮手段２０’により、押圧力を与えられた第１及び第２の上部側壁当接部３０Ｌ’，３０Ｒ’が、水平方向へ回転不能に側壁のコーナー部へ当接し嵌り込むので、梁部２の水平方向への回転をより一層強力に防止することができる。
【００７６】
以上の結果、本実施形態の手摺り装置１では、横梁部２へ回転不能に接合された支柱部４および該支柱部４に取り付けられた手摺り部４１は、横梁部２および該横梁部２へ接合された第１及び第２の上部側壁当接部３０Ｌ，３０Ｌ’３０Ｒ，３０Ｒ’を介してその回転や捻りが強力に防止される。また、第１及び第２の上部側壁当接部３０Ｌ，３０Ｌ’３０Ｒ，３０Ｒ’は、側壁を支える支柱や筋交い、天井を支える横梁などの強度部材が集中することにより比較的強度が高いコーナー部へ当接されるので、側壁中央付近や天井中央部付近を利用して支柱を固定する従来の手摺り装置よりも据付強度が高く、また側壁や天井を変形させることがないという優れた効果を奏する。特に第１の上部側壁当接部３０Ｌ，３０Ｌ’、第２の上部側壁３０Ｒ，３０Ｒ’は、それらの前記延出長さが長ければ長いほど、或いは図６（ｃ）に示されるように、隣り合う側壁同士のコーナー部を利用することによっても、横梁部２及び支柱部４の水平方向への回転をより一層強力に防止することができる。
【００７７】
次に、本実施形態の手摺り装置１の設置方法について説明する。本実施形態の手摺り装置１は、先ず基部５を床面に載置することにより、基部５に立設された支柱部４及び該支柱部４に回動自在に取り付けられた手摺部４１の位置決める。次に床面に載置した基部プレート５０から第１及び第２の床面コーナー固定部５２Ｌ，５２Ｒを、それぞれの側壁に当接するまで引き出し、ネジ５００によって基部プレート５０へ固定する。
【００７８】
そして、横梁部２を介して支柱部４の上端に取り付けられている第１及び第２の天井コーナー固定部３Ｌ，３Ｒが天井に当接するように、支柱部４の長さ（高さ）を伸縮手段４０によって調節し固定する。支柱部４を床面と天井との間で突っ張るように、支柱部４の長さ（高さ）を固定した後、第１及び第２の天井コーナー固定部３Ｌ，３Ｒがそれぞれの側壁に当接し、対向する側壁間で突っ張るように、横梁部２の長さ（高さ）を伸縮手段２０によって調節し固定する。最後に、支柱部４に取り付けられている手摺部４１の高さ調節を行うことにより、本実施形態の手摺り装置１の設置が完了する。
【００７９】
このように、本実施形態の手摺り装置１では、極めて簡単な手順でトイレのような空間に設置することができ、それでいて支柱部４及び手摺部４１の回転や捻りが強力に防止され、また据付強度が高く、また側壁や天井を変形させることがないという優れた特徴を有している。また、本実施形態の手摺り装置１は躯体構造がシンプルで、部材の形状も棒状などの省スペース部材を選ぶことができるので、手摺り装置１の設置場所も、トイレや浴槽など閉空間などに限定されるものではなく、玄関や廊下など、床面と天井と、該天井から下方へ延びた２以上の側壁を有すれば、開いた空間であっても設置することができる。
【００８０】
［第２の実施形態］
図２には、トイレのような空間に設置された本発明の第２の実施形態に係る手摺り装置１ａの斜視図が示されている。
【００８１】
本実施形態の手摺り装置１ａは、第１の天井コーナー固定部３ａＬが、一方の側壁から延びている天井に当接される第１の天井当接部３１Ｌを有しており、また第２の天井コーナー固定部３ａＲも、他方の側壁から延びている天井に当接される第２の天井当接部３１Ｒを有していること以外は、第１の実施形態に係る手摺り装置１と同じ構成を備えている。このため、本実施形態の手摺り装置１ａは、第１の実施形態に係る手摺り装置１と同じ効果を奏することができる。また、本実施形態の手摺り装置１ａにおいて、第１の実施形態に係る手摺り装置１と重複する構成および効果、設置方法については、それらの説明を省略する。
【００８２】
本実施形態の手摺り装置１ａは、第１の天井コーナー固定部３ａＬが、一方の側壁から延びている天井に当接される第１の天井当接部３１Ｌを有しており、また第２の天井コーナー固定部３ａＲも、他方の側壁から延びている天井に当接される第２の天井当接部３１Ｒを有している。このため、本実施形態の手摺り装置１ａでは、横梁部２へ接合された支柱部４は、横梁部２および該横梁部２へ接合された第１及び第２の天井当接部３１Ｌ，３１Ｒを介して、床面及び天井との間で強力に突っ張ることができる。
【００８３】
すなわち、第１及び第２の天井当接部３１Ｌ，３１Ｒは、それぞれに横梁部２から天井に沿って側方に延びており、横梁部２に対して鉛直方向に角度不変に固定されているので、鉛直方向に回転すると摩擦力が働いて、支柱部４の鉛直方向への回転が強力に防止される。
【００８４】
その結果、横梁部２へ回転不能に接合された支柱部４および該支柱部４に取り付けられた手摺り部４１は、横梁部２および該横梁部２へ接合された第１及び第２の天井当接部３１Ｌ，３１Ｒを介してその転倒が強力に防止される。また、第１及び第２の天井当接部３１Ｌ，３１Ｒは、側壁を支える支柱や筋交い、天井を支える横梁などの強度部材が集中することにより比較的強度が高いコーナー部へ当接されるので、側壁中央付近や天井中央部付近を利用して支柱を固定する従来の手摺り装置よりも据付強度が高く、また側壁や天井を変形させることがないという優れた効果を奏する。
【００８５】
特に、第１の天井当接部３１Ｌが横梁部２の一の端部において横梁部２から側方へ延出しており、第２の天井当接部３１Ｒが横梁部２の他の端部において横梁部２から側方へ延出している場合は、第１の天井当接部３１Ｌ、第２の天井当接部３１Ｒは、それらの前記延出長さが長ければ長いほど、横梁部２及び支柱部４の鉛直方向への回転防止効果がより一層強化される。
【００８６】
図７には、天井コーナー固定部３ａＬ、３ａＲの断面形状の例が模式的に示されている。本実施形態の手摺り装置１ａでは、第１及び第２の上部側壁当接部３０Ｌ，３０Ｒ、第１及び第２の天井当接部３１Ｌ，３１Ｒは、横梁部２との接合部から側方に延びていれば、板状、角柱状又は円柱状などの部材を使用することができ、第１の天井コーナー固定部３ａＬおよび第２の天井コーナー固定部３ｂＬの全体形状としては、棒状である。このため、第１の天井コーナー固定部３ａＬの断面形状および第２の天井コーナー固定部３ａＲの断面形状は、図７（ａ），（ｂ）に示されるＬ字型、図７（ｃ）に示されるロの字型又は図７（ｄ）に示される略円形を有している。
【００８７】
天井コーナー固定部３ａＬ、３ａＲが上述したような形状、断面形状を有していると、簡単かつ比較的軽量な構造であるにもかかわらず、側壁と天井とのコーナー部を確実かつ強力に押圧することが可能となり、またコーナー部における見栄えもスッキリしてよくなる。特に天井コーナー固定部３ａＬ、３ａＲの断面形状が、図７（ａ），（ｂ）に示されるＬ字型、図７（ｃ）に示されるロの字型又は図７（ｄ）に示される略円形を有していると、第１の上部側壁当接部３０Ｌの当接面と第１の天井当接部３１Ｌの当接面、および第２の上部側壁当接部３０Ｒの当接面と第２の天井当接部３１Ｒの当接面は、互いに略直交する当接面を含むことになる。
【００８８】
このため、本実施形態の手摺り装置１ａでは、天井コーナー固定部３ａＬ、３ａＲを、１つの部材において側壁と天井とへ同時に当接させることができるので、強度的にも重量的にも極めて有利である。また、天井コーナー固定部３ａＬ、３ａＲの断面形状が、図７（ｃ）に示されるように略円形を有している場合、或いは断面形状がＬ字型又はロの字型であっても、図７（ｂ）に示されるように、当接面の表面にスペーサー７を備えている場合は、側壁と天井とのコーナー部に回り縁６が設置されていても、側壁と天井とへ同時に容易に当接させることができる。
【００８９】
さらに、本実施形態の手摺り装置１ａでは、第１の天井コーナー固定部３ａＬおよび第２の天井コーナー固定部３ａＲは、該天井コーナー固定部３ａＬ、３ａＲの断面形状がＬ字型の棒状であるため、第１の上部側壁当接部３０Ｌの当接面と第１の天井当接部３１Ｌの当接面は互いに連続して形成されており、そして第２の上部側壁当接部３０Ｒの当接面と第２の天井当接部３１Ｒの当接面も互いに連続して形成されているので、部材の強度がより一層向上し、一般に側壁と天井とのコーナー部をより確実にかつより強力に押圧することが可能となる。
【００９０】
なお、第１及び第２の上部側壁当接部３０Ｌ，３０Ｒ、第１及び第２の天井当接部３１Ｌ，３１Ｒは、本実施形態の手摺り装置１ａのように、それらの全部の面が一様に側壁、天井と接する必要はなく、横梁部２との接合部から側方へ離れた位置において側壁、天井と接触可能であれば、点接触近似の接触形態であってもよい。側壁、天井へ接触する部分が横梁部２との接合部から側方へ離れていれば、第１及び第２の上部側壁当接部３０Ｌ，３０Ｒ、第１及び第２の天井当接部３１Ｌ，３１Ｒが横梁部２との接合部から延びた方向への回転を効果的に防止することができる。
【００９１】
［第３の実施形態］
図３には、トイレのような空間に設置された本発明の第３の実施形態に係る手摺り装置１ｂの斜視図が示されている。
【００９２】
本実施形態の手摺り装置１ｂは、支柱部４の上端に天井に当接される補助当接部８を有していること以外は、第１の実施形態に係る手摺り装置１と同じ構成を備えている。このため、本実施形態の手摺り装置１ｂは、第１の実施形態に係る手摺り装置１と同じ効果を奏することができる。また、本実施形態の手摺り装置１ｂにおいて、第１の実施形態に係る手摺り装置１と重複する構成および効果、設置方法については、それらの説明を省略する。
【００９３】
本実施形態の手摺り装置１ｂでは、補助当接部８は、横梁部２と接合されている支柱部４に対して鉛直方向に角度不変に固定されるので、鉛直方向に回転すると摩擦力が働いて、支柱部４の鉛直方向への回転が強力に防止される。
【００９４】
［第４の実施形態］
図４には、トイレのような空間に設置された本発明の第４の実施形態に係る手摺り装置１ｃの斜視図が示されている。
【００９５】
本実施形態の手摺り装置１ｃは、第２及び第３の実施形態に係る手摺り装置１ａ，１ｂを併用したものであって、第１の天井コーナー固定部３ａＬが、一方の側壁から延びている天井に当接される第１の天井当接部３１Ｌを有しており、また第２の天井コーナー固定部３ａＲも、他方の側壁から延びている天井に当接される第２の天井当接部３１Ｒを有しており、さらに支柱部４の上端に天井に当接される補助当接部８を有していること以外は、第１の実施形態に係る手摺り装置１と同じ構成を備えている。このため、本実施形態の手摺り装置１ｃは、第１の実施形態に係る手摺り装置１および第２，３の実施形態に係る手摺り装置１ａ，１ｂと同じ効果を奏することができる。また、本実施形態の手摺り装置１ｃにおいて、第１〜３の実施形態に係る手摺り装置１，１ａ，１ｂと重複する構成および効果、設置方法については、それらの説明を省略する。
【００９６】
本実施形態の手摺り装置１ｂでは、支柱部４を突っ張ることにより天井を押圧する部分が、第１の天井当接部３１Ｌ、第２の天井当接部３１Ｒおよび補助当接部８とへ分散されるので、天井を変形させることがない。それでいて、支柱部４を鉛直方向に回転させる力が働く時は、支柱部４の基部５の端部と、第１の天井当接部３１Ｌの端部、第２の天井当接部３１Ｒの端部または補助当接部８の端部がそれぞれに天井及び床面へ強く押し付けられ、その反力で支柱部４が圧縮されることになるので、第１の天井当接部３１Ｌ、第２の天井当接部３１Ｒ及び／又は補助当接部８には支柱部４の圧縮により増加した摩擦力が働いて、支柱部４の鉛直方向への回転がより一層強力に防止される。
【００９７】
［第５の実施形態］
図５には、トイレのような空間に設置された本発明の第５の実施形態に係る手摺り装置１ｄの斜視図が示されている。
【００９８】
本実施形態の手摺り装置１ｄは、２本目の第２の支柱部４Ｒおよび第２の手摺り部４１Ｒを含んでいること以外は、第１の実施形態に係る手摺り装置１と同じ構成を備えている。このため、本実施形態の手摺り装置１ｄは、第１の実施形態に係る手摺り装置１と同じ効果を奏することができる。また、本実施形態の手摺り装置１ｄにおいて、第１の実施形態に係る手摺り装置１と重複する構成および効果、設置方法については、それらの説明を省略する。
【００９９】
本実施形態の手摺り装置１ｄは、伸縮手段４０Ｌを有しており、さらに支柱部４Ｌから側方へ延びており、支柱部４Ｌに対して水平方向に回動及び固定可能であり且つ高さ調節可能に取り付けられている手摺り部４１Ｌを含んでいる支柱部４Ｌと、支柱部４Ｌと平行して、第２の伸縮手段４０Ｒを有しており、さらに第２の支柱部４Ｒから側方へ延びており、第２の支柱部４Ｒに対して水平方向に回動及び固定可能であり且つ高さ調節可能に取り付けられている第２の手摺り部４１Ｒを含んでいる第２の支柱部４Ｒを有している。
【０１００】
本実施形態の手摺り装置１ｄにおいて、支柱部４Ｌ及び手摺り部４１Ｌなどの構成と、第２の支柱部４Ｒ及び第２の手摺り部４１Ｒなどの構成とは同じである。また、本実施形態の手摺り装置１ｄにおける上記の支柱４Ｌ，４Ｒ及び手摺部４１Ｌ，４１Ｒなどの構成は、手摺部４１Ｌ，４１Ｒの腕の長さが、第１の実施形態に係る手摺り装置１の手摺部４１の腕の長さよりも短いこと以外は、第１の実施形態に係る手摺り装置１の支柱部４及び手摺部４１などの構成と同じである。
【０１０１】
本実施形態の手摺り装置１ｄでは、２つ目の支柱部４Ｒは、１つ目の支柱部４Ｌが取り付けられている横梁部２および基部５へ取り付けられているので、手摺り装置１ｄ全体の一体化により、構造体として、手摺り装置１ｄ全体の剛性及び強度がより一層向上する。また、支柱部４Ｌ，４Ｒ及び該支柱部４Ｌ，４Ｒに取り付けた手摺り部４１Ｌ，４１Ｒを２個設けることにより、第１の実施形態に係る手摺り装置１の手摺部４１と比べて、手摺り部４１Ｌ，４１Ｒの腕の長さを１／２以下とすることができたので、それぞれの支柱４Ｌ，４Ｒに加わる曲げモーメントを大幅に低減することができ、支柱部４Ｌ，４Ｒや手摺り部４１Ｌ，４１Ｒの回転や捻りを効果的に防止することができる。
【符号の説明】
【０１０２】
１，１ａ，１ｂ，１ｃ，１ｄ・・・手摺り装置
２，２’・・・・横梁部
２０，２０’・・・・・伸縮手段
２１，２１’・・・・・Ｔ字型ジョイント
３Ｌ，３Ｌ’，３ａＬ，３ｂＬ，３ｃＬ・・・第１の天井コーナー固定部
３Ｒ，３Ｒ’，３ａＲ，３ｂＲ，３ｃＲ・・・第２の天井コーナー固定部
３０Ｌ，３０Ｌ’・・・第１の上部側壁当接部
３０Ｒ，３０Ｒ’・・・第２の上部側壁当接部
３１Ｌ・・・・第１の天井当接部
３１Ｒ・・・・第２の天井当接部
４，４Ｌ・・・支柱部
４Ｒ・・・・・第２の支柱部
４０，４０Ｌ・・・・伸縮手段
４０Ｒ・・・・第２の伸縮手段
４１，４１Ｌ・・・・手摺り部
４１Ｒ・・・・第２の手摺部
４１０・・・・テーブル
４２・・・・傾斜梁部
４３・・・・スリーブ
４４・・・・スリーブ
５・・・・・基部
５０・・・・基部プレート
５００・・・ネジ
５１Ｌ・・・第１の下部側壁当接部
５１Ｒ・・・第２の下部側壁当接部
５２Ｌ・・・第１の床面コーナー固定部
５２Ｒ・・・第２の床面コーナー固定部
６・・・・・周り縁
７・・・・・スペーサー
８・・・・・補助当接部
【図１】
0006503236.tif 000002
【図２】
0006503236.tif 000003
【図３】
0006503236.tif 000004
【図４】
0006503236.tif 000005
【図５】
0006503236.tif 000006
【図６】
0006503236.tif 000007
【図７】
0006503236.tif 000008